(57)【特許請求の範囲】
【請求項１】
棚板上に、上面を平面とした下部軸受を所定間隔で並列設置して、該下部軸受上に陳列物品を載せるローラーのローラー軸を架設すると共に、該ローラー軸上へその上部を覆う上部軸受をセットして陳列棚を構成し、該陳列棚を棚枠へ所定の傾斜角度で架設し、前記陳列棚上へ、前記物品と当接する当接板を有する箱体内へ重錘を収容した押圧具を自動移動する陳列物品に当接設置したことを特徴とする物品に自動移動力を付与した陳列棚装置。
【請求項２】
押圧具の当接設置は、押圧具を陳列物品を載せるローラー上へ載置し、又は棚板に架設した吊杆に押圧具のフックを懸架したことを特徴とする請求項１記載の物品に自動移動力を付与した陳列棚装置。
【請求項３】
所定の傾斜角度を４度〜２５度としたことを特徴とする請求項１記載の物品に自動移動力を付与した陳列棚装置。
【請求項４】
ローラーの架設は、隣接ローラーのピッチをずらして架設したことを特徴とする請求項１記載の物品に自動移動力を付与した陳列棚装置。
【発明の詳細な説明】
【０００２】
【発明の属する技術分野】
【０００３】
この発明は、棚上に陳列した物品を取出した際の移動を円滑にするために、自動移動する押圧具を設置することを目的とした陳列棚における物品に自動移動力を付与した陳列棚装置に関する。
【０００４】
従来陳列棚を傾斜させることにより、陳列物品の取出し毎に該物品が自動移動して空いたスペースを埋め、順次取出すようになっていた。
【０００５】
然し乍ら前記陳列物品が軽量であったり、移動摩擦が大きい場合には自動移動できないので、物品の押圧板をスプリングなどにより押圧して円滑な移動を可能にしていた。
【特許文献１】
特開２００１−２４０２２５号公報
【発明により解決しようとする課題】
【０００６】
前記従来の物品において、特に軽量の物品（例えばタバコなど）は、自動移動できないので、これを移動させるために、スプリングで牽引した押圧具を使用していた。前記において、スプリングと押圧具とは連結されていなければならず、かつスプリングが収縮した場合の収納形態及び収納場所などについて、陳列棚の構造を複雑にするおそれがあった。
【課題を解決するための手段】
【０００７】
この発明は、自動滑動できる押圧具を陳列物品の最後部に載置することによって前記従来の問題点を解決したのである。
【０００９】
即ちこの発明は、棚板上に、上面を平面とした下部軸受を所定間隔で並列設置して、該下部軸受上に陳列物品を載せるローラーのローラー軸を架設すると共に、該ローラー軸上へその上部を覆う上部軸受をセットして陳列棚を構成し、該陳列棚を棚枠へ所定の傾斜角度で架設し、前記陳列棚上へ、前記物品と当接する当接板を有する箱体内へ重錘を収容した押圧具を自動移動する陳列物品に当接設置したことを特徴とする物品に自動移動力を付与した陳列棚装置であり、押圧具の当接設置は、押圧具を陳列物品を載せるローラー上へ載置し、又は棚板に架設した吊杆に押圧具のフックを懸架したものである。また、所定の傾斜角度を４度〜２５度としたものであり、ローラーの架設は、隣接ローラーのピッチをずらして架設したものである。
【００１０】
前記において陳列棚を棚枠へ架設する場合の傾斜は、押圧具の重量によって決まる。例えば押圧具の重量が大きければそれだけ押圧力も大きいので、陳列棚の傾斜角度は小さくてもよいが、押圧具の重量が小さいと陳列棚の傾斜角度を大きくしなければ押圧力が小さくなる。傾斜角度は前記のようにして定められるが、傾斜角度が大きすぎると、陳列物品への押圧力が大きくなり、傾斜角度が小さすぎると、陳列物品への押圧力が小さくなって自動移動は難しくなるので、傾斜角度を４度〜２５度としたが、この傾斜角度は押圧具の重量による押圧力と、陳列物品の総摩擦力によって異なる。
【００１１】
前記において押圧具は、ローラー上へ載置しているが、上部へ吊杆を設け、吊枠に沿って押圧具が滑動できるようにすることができる。
【００１２】
この場合には、吊杆の傾斜角度を変えることにより押圧力を調節することができる。
【発明の実施の形態】
【００１３】
この発明は、陳列棚上の陳列物品が自動移動できない場合、又は自動移動が円滑でない場合に陳列物品の背後を押圧具で押して、陳列物品を円滑確実に移動させるようにしたものである。
【００１４】
この発明は、陳列棚のローラー上へ所定の重量の押圧具を載置し、押圧具の移動力を押圧力に変えるようにしたものである。従って、陳列棚は傾斜させてあって、陳列物品の自動移動を容易にすると共に、押圧具に必要な押圧力を付与するものである。そこで、必要な押圧力を得るためには、適当な重量と、分力を大きくするために、陳列棚を傾斜させる必要がある。陳列棚の傾斜角度が大きい程、押圧具が重い程、押圧力は大きくなるので、両者を勘案して適宜定める。
【００１５】
この発明は、ローラーの下部軸受面を平面としてあるので、ローラーの物品受け面は常時面一精度を高く保つことができ、物品の安定性がきわめてよい。また、隣接ローラーのピッチをずらして配列することにより（図５）、物品移動時の上下動の変化が少なく、安定性がよいと共に、騒音の発生も少ない。
【実施例１】
【００１６】
この発明の実施例を図面に基づいて説明すると、平面矩形の棚外枠１の内側を、仕切板２、２によって長手方向に仕切る。前記棚外枠１の底板３上へ、下部軸受４、４が長手方向へ設置され、下部軸受４、４上へローラー５、５の軸５ａ、５ａを架設し、当該軸５ａ、５ａ上へ、側面逆Ｕ字状の溝６ａを有する上部軸受枠６を被着固定して、陳列棚１０を構成した（図２、３）。
【００１７】
仕切板２、２によって形成された各区画内へ、一側（物品側）に当接板７を有する箱８内へ、重錘９を収容した押圧具１１を載置する。
【００１８】
前記実施例は、棚外板１内へ仕切板２、２を設け、各仕切板の間へ、ローラー５、５を回転自在に架設し、上部軸受枠６で押さえたのである。
【００１９】
そこで実際組み立てに際しては、図２中矢示２４のようにローラー５、５を架設し、ついで矢示２５のように上部軸受枠６を嵌め込んでローラー５、５を定位置に固定する。
【００２０】
前記組み立て終了後、箱８内へ矢示２６のように重錘９を収容して押圧具１１を組み立て、これを矢示２７のようにセットする。
【００２１】
前記押圧具１１は、重錘９を取り換えることにより押圧力の大小を調節することができる。前記陳列棚１０は、陳列棚１０の支持枠１２へ、傾斜θ（例えば１０度）で架設すれば、この発明の陳列棚装置１５が完成する。
【００２２】
前記において、陳列棚１０上へ陳列物品１３を並べ、陳列物品の最後部面へ押圧具１１を当接すれば、陳列物品は押圧具１１によって常時押圧される。
【００２３】
そこで最前部の陳列物品１３ａを矢示１４のように取出すと、残留陳列物品１３は矢示１６のように押圧されて、前記陳列物品１３の抜けた空間１３ａを自動的に埋めることになる。
【００２４】
このようにして陳列物品１３を取出す毎に残留陳列物品は自動的に移動し、陳列状態を正常に保つことができる。
【００２５】
前記における陳列棚１０の傾斜角度は、押圧具１１の必要な押圧力（重量の分力）によって定める。即ち陳列物品の総摩擦力よりも大きい力で押圧すれば、陳列物品の移動を円滑にさせることができる。そこで傾斜角度θは、総摩擦力に対し、押圧具１１の重量と、傾斜角度θによる分力を大きくするように選定すれば、目的を達することができる。
【実施例２】
【００２６】
前記実施例１は、押圧具をローラー５上へ載置したが、これを上方に架設した吊杆１７により案内させることもできる（図７（ａ））。
【００２７】
即ち上部に位置する陳列棚１０の裏面又は陳列棚１０の支持枠１８へ吊杆１７を架設し、該吊杆１７へ押圧具１１のローラーフック１９を懸架すれば、押圧具１１は吊杆１７に沿って移動し、陳列物品１３を押圧することができる。前記押圧具１１は、箱８内へ重錘９が収容されている。
【００２８】
この場合には、吊杆１７の一端を蝶番２０に取付け、他端の受具２１を移動可能にし傾斜角度を可変にすれば、陳列物品１３の押圧具１１の押圧力を勘案し、角度を定めることができる。例えば吊杆１７を矢示２２の方向へ鎖線２３のように動かせば、押圧具１１のように押圧力が大きくなるので、陳列物品１１を押す力が大きくなる。
【発明の効果】
【００２９】
この発明によれば、比較的軽く、ローラー支承であっても、自動移動できないような陳列物品を押圧移動して常時整列状態に保ち得る効果がある。
【００３０】
また、押圧具の構造は簡単で取扱いも容易であって、陳列物品の多寡に関係なく、確実に移動させることができる。ローラー支承であるから、物品の移動が軽快であり、騒音が少ない効果があり、また、ローラー列にピッチ差をつけて架設すれば物品の上下動を殆ど皆無にすることができる効果がある。
【図面の簡単な説明】
【００３１】
【図１】  この発明の使用状態における実施例の斜視図。
【図２】  同じくローラーの支持状態を示す一部組立中の斜視図。
【図３】  同じくローラーを全部架設した状態の斜視図。
【図４】（ａ）同じく上部軸受枠を除きローラーの架設状態を示す一部を省略した拡大平面図、（ｂ）同じく架設ローラーの一部拡大断面図。
【図５】（ａ）同じくローラーのピッチをずらした架設状態を示す一部拡大平面図、（ｂ）同じく一部を省略した拡大側面図。
【図６】（ａ）同じく陳列棚を架設した実施例の一部省略した説明図、（ｂ）同じく一部拡大側面図、（ｃ）同じく上部軸受枠の一部側面図。
【図７】（ａ）同じく他の実施例の一部を省略した側面図、（ｂ）同じく押圧具の実施例の一部断面拡大図。
【符号の説明】
【００３２】
１  棚外枠
２  仕切板
３  底板
４  下部軸受
５  ローラー
６  上部軸受枠
７  当接板
８  箱
９  重錘
１０  陳列棚
１１  押圧具
１２  支持枠
１３  陳列物品
【図１】
0003932534.tif 000002
【図２】
0003932534.tif 000003
【図３】
0003932534.tif 000004
【図４】
0003932534.tif 000005
【図５】
0003932534.tif 000006
【図６】
0003932534.tif 000007
【図７】
0003932534.tif 000008